(57)【特許請求の範囲】
【請求項１】
複数のパチンコ遊技機が並設されるとともに、各パチンコ遊技機を固定させる取付部がそれぞれ形成されたパチンコ遊技機の島設備において、
前記パチンコ遊技機の上部と当接又は離間可能とされた所定幅を有した円筒状部材から成り、当該パチンコ遊技機の幅方向に延びた軸を中心として回転自在とされるとともに、当該上部と当接しつつ軸周りに回転可能とされたローラ部材と、
該ローラ部材が所定角度回転した際に、当該ローラ部材の回転を規制してロックするロック手段と、
を有した固定装置を備え、前記パチンコ遊技機を取付部に挿入させる過程で、前記ローラ部材が当該パチンコ遊技機の上部と当接しつつ軸周りに回転するとともに、当該ローラ部材が所定角度回転したとき、前記ロック手段にてその回転をロックして前記パチンコ遊技機を取付部に固定させ得ることを特徴とするパチンコ遊技機の島設備。
【請求項２】
前記固定装置は、前記パチンコ遊技機の上部において所定寸法離間して左右一対配設されたことを特徴とする請求項１記載のパチンコ遊技機の島設備。
【請求項３】
前記ローラ部材は、外周面にギアが形成されるとともに、前記パチンコ遊技機の上部における当該ローラ部材との当接面には、当該ローラ部材のギアと噛み合う歯面が形成されたことを特徴とする請求項１又は請求項２記載のパチンコ遊技機の島設備。
【発明の詳細な説明】
【技術分野】
【０００１】
本発明は、複数のパチンコ遊技機が並設されるとともに、各パチンコ遊技機を固定させる取付部がそれぞれ形成されたパチンコ遊技機の島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して電力の供給や遊技球の供給及び回収等を行い得るよう構成されている。然るに、通常、島設備において、各パチンコ遊技機を傾斜して設置させているのであるが、かかる傾斜角度に応じて遊技盤上の遊技球の挙動が変化するため、入賞状況等に大きな影響が及ぼされることとなる。従って、パチンコ遊技機の傾斜角度は、メーカーが遊技性を考慮して設定するようになっており、各パチンコ店においては、その設定通りに当該パチンコ遊技機を島設備の取付部（取付枠）に固定させる必要がある。
【０００３】
従来においては、例えば特許文献１に示すように、保持ブロックとラック部材から成る取付け装置で遊技機の上部を固定し、操作レバーと押圧体から成るクランプによって遊技機の下部を固定する技術が既に提案されている。また、例えば特許文献２に示すように、固定具のハンドルを回転操作することにより、一対の挟持片で軸部を挟持して遊技機の上部を外枠に固定する技術が既に提案されている。
【先行技術文献】
【特許文献】
【０００４】
【特許文献１】特開２００２−９１５号公報
【特許文献２】特開２００４−１３５９７４号公報
【発明の概要】
【発明が解決しようとする課題】
【０００５】
しかしながら、上記従来の技術においては、パチンコ遊技機を島設備の取付部にスムーズに挿入することができず、作業性が悪くなってしまうという問題があった。また、上記従来の技術においては、何れもパチンコ遊技機の上部の両端部を略点接触状態で固定するものであることから、当該パチンコ遊技機を安定して固定させることが困難であるという問題もあった。更には、パチンコ遊技機を取付部に取り付けて傾斜させる際、スムーズ且つ精度よく行わせるのが困難であるという問題もあった。
【０００６】
本発明は、このような事情に鑑みてなされたもので、パチンコ遊技機を取付部に対してスムーズに挿入させることができるとともに安定した固定を図ることができ、且つ、パチンコ遊技機の設置作業及び角度調整作業時の作業性を向上させることができるパチンコ遊技機の島設備を提供することにある。
【課題を解決するための手段】
【０００７】
請求項１記載の発明は、複数のパチンコ遊技機が並設されるとともに、各パチンコ遊技機を固定させる取付部がそれぞれ形成されたパチンコ遊技機の島設備において、前記パチンコ遊技機の上部と当接又は離間可能とされた所定幅を有した円筒状部材から成り、当該パチンコ遊技機の幅方向に延びた軸を中心として回転自在とされるとともに、当該上部と当接しつつ軸周りに回転可能とされたローラ部材と、該ローラ部材が所定角度回転した際に、当該ローラ部材の回転を規制してロックするロック手段とを有した固定装置を備え、前記パチンコ遊技機を取付部に挿入させる過程で、前記ローラ部材が当該パチンコ遊技機の上部と当接しつつ軸周りに回転するとともに、当該ローラ部材が所定角度回転したとき、前記ロック手段にてその回転をロックして前記パチンコ遊技機を取付部に固定させ得ることを特徴とする。
【０００８】
請求項２記載の発明は、請求項１記載のパチンコ遊技機の島設備において、前記固定装置は、前記パチンコ遊技機の上部において所定寸法離間して左右一対配設されたことを特徴とする。
【０００９】
請求項３記載の発明は、請求項１又は請求項２記載のパチンコ遊技機の島設備において、前記ローラ部材は、外周面にギアが形成されるとともに、前記パチンコ遊技機の上部における当該ローラ部材との当接面には、当該ローラ部材のギアと噛み合う歯面が形成されたことを特徴とする。
【発明の効果】
【００１０】
請求項１の発明によれば、パチンコ遊技機を取付部に挿入させる過程で、ローラ部材が当該パチンコ遊技機の上部と当接しつつ軸周りに回転するとともに、当該ローラ部材が所定角度回転したとき、ロック手段にてその回転をロックしてパチンコ遊技機を取付部に固定させ得るので、パチンコ遊技機を取付部に対してスムーズに挿入させることができるとともに安定した固定を図ることができ、且つ、パチンコ遊技機の設置作業及び角度調整作業時の作業性を向上させることができる。
【００１１】
請求項２の発明によれば、固定装置は、パチンコ遊技機の上部において所定寸法離間して左右一対配設されたので、パチンコ遊技機の取付部に対する固定時、当該パチンコ遊技機の左右方向の振れを容易に修正することができる。
【００１２】
請求項３の発明によれば、ローラ部材は、外周面にギアが形成されるとともに、パチンコ遊技機の上部における当該ローラ部材との当接面には、当該ローラ部材のギアと噛み合う歯面が形成されたので、パチンコ遊技機を取付部に対してより強固に固定させることができる。
【図面の簡単な説明】
【００１３】
【図１】本発明の実施形態に係るパチンコ遊技機の島設備を示す全体模式図
【図２】同パチンコ遊技機の島設備を示す断面模式図
【図３】同パチンコ遊技機の島設備における固定装置を示す斜視図
【図４】同固定装置を示す正面図
【図５】同固定装置を示す側面図
【図６】同固定装置におけるロック手段を示す側面図
【図７】同固定装置におけるローラ部材のギアがパチンコ遊技機の上部に形成された歯面に噛み合った状態を示す正面図
【図８】同パチンコ遊技機の島設備におけるパチンコ遊技機を取付部に挿入させる過程を示す斜視図
【図９】同固定装置におけるロック手段によりローラ部材がロックされた状態を示す斜視図
【図１０】同固定装置におけるロック手段によりローラ部材がロックされた状態を示す側面図
【発明を実施するための形態】
【００１４】
以下、本発明の実施形態について図面を参照しながら具体的に説明する。
第１の実施形態に係るパチンコ遊技機の島設備は、図１に示すように、遊技店に複数設置されるとともにパチンコ遊技機２が複数並列して設置された島状のものから成る。かかる島設備１は、それぞれのパチンコ遊技機２に電力を供給し得るとともに、各パチンコ遊技機２に遊技球を供給し或いは回収する流路（レール等）を具備したものである。尚、同図中符号３は、各パチンコ遊技機２に遊技球を供給すべく遊技球を多数収容するための島上タンクを示しているとともに、符号４は、略水平に形成された膳板を示している。
【００１５】
本実施形態で適用されるパチンコ遊技機２は、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００１６】
島設備１には、図２に示すように、パチンコ遊技機２を取り付けて固定させ得る取付部５（取付枠）が形成されているとともに、膳板４が島設備１の前面から前方へ突出しつつ延設されている。取付部５の上部には、本実施形態に係る固定装置６が取り付けられており、かかる固定装置６によってパチンコ遊技機２を取付部５に対して所定角度傾斜させて固定可能とされている。
【００１７】
なお、同図中符号Ｂは、パチンコ遊技機２の背面側に配設されたアウトボックスを示している。かかるアウトボックスＢは、パチンコ遊技機２から排出された遊技球を受け得るもので、その受けた遊技機を計数する計数手段を具備したものである。このアウトボックスＢで受けて計数された遊技球は、島設備１内に延設されたアウトレール（不図示）に送られ、そこから自重にて転がって研磨装置等（不図示）に送られることとなる。
【００１８】
ここで、本実施形態に係る固定装置６は、図３〜６に示すように、パチンコ遊技機２の上部２ａにおいて所定寸法離間して左右一対（左右に１つずつ）配設されており、フレームＦ１、Ｆ２を本体とするとともに、ローラ部材７と、ロック手段８とを有して構成されている。左右の固定装置６は、互いに同一構成のものであり、それぞれ島設備１の枠状に形成された取付部５の上部にビス等にて固定されている。
【００１９】
ローラ部材７は、パチンコ遊技機２の上部２ａ（上面）と当接又は離間可能とされた所定幅を有した円筒状部材から成り、当該上部２ａと当接しつつ軸Ｌ周りに回転可能とされたものである。即ち、フレームＦ１には軸Ｌが形成されており、かかる軸Ｌを中心としてローラ部材７が回転自在に取り付けられているのである。このローラ部材７の外周面には、ギア７ａが形成されているとともに、パチンコ遊技機２の上部２ａにおける当該ローラ部材７との当接面には、当該ローラ部材７のギア７ａと噛み合う歯面Ｇが形成されている。なお、歯面Ｇは、パチンコ遊技機２の上部２ａ（上面）に直接形成されているものに限らず、例えば表面に歯面Ｇが形成された別部材をパチンコ遊技機２の上部２ａ（上面）に貼着或いは螺着等して取り付けるものとしてもよい。
【００２０】
フレームＦ２は、フレームＦ１から上方に向かって延設された金属製部材から成るもので、ラックアンドピニオン機構を構成するラックとして機能するものである。すなわち、フレームＦ２の上端部には、ギア１０が形成されているとともに、かかるギア１０はモータＭの駆動により回転可能なピニオン９と噛み合って構成されている。而して、モータＭを駆動させて、その出力軸Ｍａをピニオン９と共に回転駆動させると、フレームＦ２が上下動し得るようになっている。これにより、モータＭを駆動すると、フレームＦ１、Ｆ２が上下動することとなり、ローラ部材７の外周面（ギア７ａ）がパチンコ遊技機２の上部２ａ（歯面Ｇ）と当接又は離間可能となっている。
【００２１】
ロック手段８は、ローラ部材７が所定角度回転した際に、当該ローラ部材７の回転を規制してロックするものであり、図６に示すように、例えばソレノイド等、通電により作動子Ｄを伸長又は収縮可能なアクチュエータ１１と、該アクチュエータ１１により上下動可能な支持体１２と、該支持体１２に取り付けられるとともにローラ部材７のギア７ａと噛み合いが可能なギア部１３ａを有した規制部１３とから主に構成されている。
【００２２】
そして、アクチュエータ１１に対して通電（又は通電を遮断）させて支持体１２を下降させると、規制部１３がローラ部材７の外周面におけるギア７ａと当接し、当該ギア７ａに規制部１３のギア部１３ａが噛み合うようになっている。このように、規制部１３のギア部１３ａがギア７ａに噛み合うことで、ローラ部材７の回転を規制してロック可能とされているのである。
【００２３】
しかるに、パチンコ遊技機２を島設備１に取り付ける際、モータＭを駆動することによりローラ部材７を下降させ、図７に示すように、ローラ部材７の外周面（ギア７ａ）をパチンコ遊技機２の上部２ａ（歯面Ｇ）に当接させる。これにより、パチンコ遊技機２を取付部５に挿入させる過程で、ローラ部材７が当該パチンコ遊技機２の上部２ａと当接しつつ軸周りに回転するとともに、当該ローラ部材７が所定角度回転したとき、ロック手段８にてその回転をロックしてパチンコ遊技機２を取付部５に固定させることができる。
【００２４】
すなわち、パチンコ遊技機２を取付部５に挿入させた後、図８に示すように、更に上部２ａのみを後方（背面側）に移動させて倒すことにより、パチンコ遊技機２全体がその下部を中心に図中ａ方向に揺動するので、所定角度傾斜させることができるのである。このように、パチンコ遊技機２を所定角度傾斜させた後、図９、１０に示すように、ロック手段８にてローラ部材７の回転をロックさせれば、所定角度の傾斜を保持しつつパチンコ遊技機２を取付部５に固定させることができる。
【００２５】
なお、パチンコ遊技機２を所定角度傾斜させ、ロック手段８にてローラ部材７の回転をロックさせた後、モータＭを駆動させてローラ部材７の外周面（ギア７ａ）を更にパチンコ遊技機２の上部２ａ（歯面Ｇ）に押圧させ、その押圧力によってより強固にパチンコ遊技機２を取付部５に固定させ得るようになっている。また、アクチュエータ１１として比較的大きな力で駆動可能なものを用いれば、ローラ部材７が所定角度回転した後、当該アクチュエータ１１にて規制部１３をより強く押圧させることにより、強固にパチンコ遊技機２を取付部５に固定させることができる。
【００２６】
さらに、ローラ部材７が回転する際に、ギア７ａと歯面Ｇとが噛み合って干渉音が生じることから、その干渉音の発生回数とパチンコ遊技機２の傾斜角度とを予め対応させておくことにより、容易且つ簡易な構成にて、パチンコ遊技機２を所定角度傾斜させることができる。すなわち、パチンコ遊技機２を取付部５に挿入させ、上部２ａのみを後方へ移動させる過程で、ギア７ａと歯面Ｇとの干渉音が所定回数生じたら、傾斜作業を止め、ロック手段８を作動させて固定させるようにすることができる。
【００２７】
なお、ローラ部材７の回転角度を検出する検出装置を具備させ、その検出装置によってローラ部材７の所定角度回転を検出したことを条件として、ロック手段８を作動させて固定させるようにしてもよい。さらに、簡易な構成とすべく、ローラ部材７に目印（目盛り等）を付与しておき、その目印を目視することにより、ローラ部材７の回転角度を把握させ得るものとしてもよい。
【００２８】
上記実施形態によれば、パチンコ遊技機２を取付部５に挿入させる過程で、ローラ部材７が当該パチンコ遊技機２の上部２ａと当接しつつ軸Ｌ周りに回転するとともに、当該ローラ部材７が所定角度回転したとき、ロック手段８にてその回転をロックしてパチンコ遊技機２を取付部５に固定させ得るので、パチンコ遊技機２を取付部５に対してスムーズに挿入させることができるとともに安定した固定を図ることができ、且つ、パチンコ遊技機２の設置作業及び角度調整作業時の作業性を向上させることができる。
【００２９】
すなわち、パチンコ遊技機２を取付部５に挿入させる際、ローラ部材７が回転して取付作業をよりスムーズに行わせるとともに、ローラ部材７の当接力（押圧力）によりパチンコ遊技機２を固定させるので、線状に固定のための力を付与させることができ、点状に力を付与させるものに比べ、より安定した固定を図ることができるのである。
【００３０】
また、固定装置６は、パチンコ遊技機２の上部において所定寸法離間して左右一対配設されたので、パチンコ遊技機２の取付部５に対する固定時、当該パチンコ遊技機２の左右方向の振れを容易に修正することができる。すなわち、パチンコ遊技機２を取付部５に対して挿入及び固定させる際、左右方向に振れてしまっても、左右の固定装置６がそれぞれ独立して動作可能とされているので、その修正を容易に行うことができるのである。
【００３１】
さらに、ローラ部材７は、外周面にギア７ａが形成されるとともに、パチンコ遊技機２の上部２ａにおける当該ローラ部材７との当接面には、当該ローラ部材７のギア７ａと噛み合う歯面Ｇが形成されたので、パチンコ遊技機２を取付部５に対してより強固に固定させることができる。
【００３２】
以上、本発明に係る実施形態について説明したが、本発明はこれに限定されるものではなく、例えばゴムや樹脂等から成る弾性部材にてローラ部材（この場合、その外周面にギアは形成されない）を構成させ、当該ローラ部材をパチンコ遊技機２の上部２ａに当接させて配設させることができる。この場合、ローラ部材の弾力（反発力）を利用してパチンコ遊技機２を強固に固定させることができる。
【００３３】
また、上記実施形態に係るロック手段は、アクチュエータ１１に通電又は通電の遮断を行うことによりローラ部材７の回転を規制してロックしているが、他の形態のロック手段によりローラ部材７の回転を規制してロックするようにしてもよい。さらに、本実施形態においては、固定装置６がパチンコ遊技機２の上部２ａにおいて所定寸法離間して左右一対配設されているが、上部２ａにおいて１つだけ配設したもの、或いは３つ以上配設させたものとしてもよい。なお、モータＭ或いはアクチュエータ１１に代え、他の形態の駆動源を用いるようにしてもよい。
【産業上の利用可能性】
【００３４】
パチンコ遊技機の上部と当接又は離間可能とされた所定幅を有した円筒状部材から成り、当該パチンコ遊技機の幅方向に延びた軸を中心として回転自在とされるとともに、当該上部と当接しつつ軸周りに回転可能とされたローラ部材と、該ローラ部材が所定角度回転した際に、当該ローラ部材の回転を規制してロックするロック手段とを有した固定装置を備え、パチンコ遊技機を取付部に挿入させる過程で、ローラ部材が当該パチンコ遊技機の上部と当接しつつ軸周りに回転するとともに、当該ローラ部材が所定角度回転したとき、ロック手段にてその回転をロックしてパチンコ遊技機を取付部に固定させ得るパチンコ遊技機の島設備であれば、外観形状が異なるもの或いは他の機能が付加されたもの等にも適用することができる。
【符号の説明】
【００３５】
１  パチンコ遊技機の島設備
２  パチンコ遊技機
３  島上タンク
４  膳板
５  取付部
６  固定装置
７  ローラ部材
８  ロック手段
９  ピニオン
１０  ギア
１１  アクチュエータ
１２  支持体
１３  規制部
【図１】
0005690585.tif 000002
【図２】
0005690585.tif 000003
【図３】
0005690585.tif 000004
【図４】
0005690585.tif 000005
【図５】
0005690585.tif 000006
【図６】
0005690585.tif 000007
【図７】
0005690585.tif 000008
【図８】
0005690585.tif 000009
【図９】
0005690585.tif 000010
【図１０】
0005690585.tif 000011